(57)【要約】    【課題】  本発明の目的は、印刷版胴の端縁とファニッシャーロールの接触部及びドクターと印刷版胴の両端縁との接触部からインキが飛び散るのを防止することができるグラビア印刷機にて使用する補助ドクター及びドクター装置を提供することである。    【解決手段】  補助ドクターホルダーと、印刷版胴の外周面の側端部に摺接する狭巾の補助ドクターブレードと、印刷版胴の側面に摺接する可撓性板状体とを備えた構成の２個の補助ドクターと、ドクターホルダーとドクターホルダーに取り付けられたドクターブレードとを有する印刷版胴の外周面に摺接するドクターとからなり、補助ドクターが印刷版胴の両側端部のドクターより印刷版胴の回転方向の後方に位置するように印刷版胴の両側端部にそれぞれ取り付けられた構成のドクター装置である。【選択図】        図１
2006272710.tif 000002
【特許請求の範囲】
【請求項１】
補助ドクターホルダーと、印刷版胴の外周面の側端部に摺接する狭巾の補助ドクターブレードと、印刷版胴の側面に摺接する可撓性板状体とを備えた構成からなることを特徴とする補助ドクター。
【請求項２】
２個の前記補助ドクターと、ドクターホルダーとドクターホルダーに取り付けられたドクターブレードとを有する印刷版胴の外周面に摺接するドクターとからなり、前記補助ドクターが印刷版胴の両側端部の前記ドクターより印刷版胴の回転方向の後方に位置するように印刷版胴の両側端部にそれぞれ取り付けられた構成からなることを特徴とするドクター装置。
【請求項３】
前記ドクターのドクターブレードの巾が揺動巾も含めて印刷版胴の外周面の巾よりも狭くした構成からなることを特徴とする請求項２記載のドクター装置。
【請求項４】
前記補助ドクターの補助ドクターホルダーがドクターのドクターホルダーに取り付けられている構成からなることを特徴とする請求項２または３記載のドクター装置。
【発明の詳細な説明】
【技術分野】
【０００１】
本発明は、印刷版胴端縁とファニッシャーロールの接触部及びドクターと印刷版胴端縁との接触部からのインキが飛散を防止することのできるグラビア印刷機の印刷ユニットに設けられるドクター装置に関する。
【背景技術】
【０００２】
従来から一般に、グラビア印刷機の印刷ユニットは、印刷版胴，圧胴，ドクター，ファニッシャーロール，インキパンから構成されているが、印刷の高速化により、グラビア印刷機の印刷ユニットにおいて、印刷版胴及びファニッシャーロールからのインキの巻き上げや飛散が発生するという問題があり、インキの巻き上げや飛散を防止するためにインキの巻き上げや飛散を防止するカバーを取り付けることが行われている。また、補助ドクターを使用してインキハネを防止できるようにしたグラビア印刷ユニットとしては、グラビア版胴、圧胴、ドクター及びインキパンを備えるグラビア印刷ユニットにおいて、ドクターとインキパンとの間に、インキパンの端部に取り付けられた、グラビア版胴に対して加圧調整できるような加圧調整機構に連結されている補助ドクターを設けたグラビア印刷ユニット（例えば、特許文献１参照）が知られている。
【特許文献１】特開２００１−５８３９３号
【０００３】
しかしながら、インキの巻き上げや飛散を防止するためのカバーを取り付けただけではインキの飛散を完全に防止することができないし、上記の補助ドクターを使用したグラビア印刷ユニットでは、インキパンに収納されているインキ中にグラビア版胴を浸漬した状態で回転させることにより、グラビア版胴の外周面にインキを付着させ、補助ドクターのグラビア版胴への加圧を調整してグラビア版胴の版面に巻き上げられるインキ量を調整することにより、インキの飛散による印刷汚れ、泡発生による色抜け等の印刷不良をなくすことができるものであるが、上記のグラビア印刷ユニットでは、ドクターの両端縁部においてドクターとグラビア版胴端縁との接触部からのインキはねを防止することができないという欠点を有している。また、通常のグラビア印刷ユニットのように、インキパンに収納されているインキ中にグラビア版胴を浸漬せずにファニッシャーロールによりグラビア版胴面へ所定量のインキを供給する方式の場合には利用できないものである。
【発明の開示】
【発明が解決しようとする課題】
【０００４】
本発明の目的は、印刷版胴端縁とファニッシャーロールの接触部、ないしはドクターと印刷版胴端縁との接触部からインキが飛散し、印刷物を汚したり、また、印刷版胴の版面や端面に付着するのを防止することのできるグラビア印刷機の印刷ユニットにて使用される補助ドクター及びドクター装置を提供することである。
【課題を解決するための手段】
【０００５】
補助ドクターホルダーと、印刷版胴の外周面の側端部に摺接する狭巾の補助ドクターブレードと、印刷版胴の側面に摺接する可撓性板状体とを備えた構成からなる補助ドクターである。
【０００６】
２個の前記補助ドクターと、ドクターホルダーとドクターホルダーに取り付けられたドクターブレードとを有する印刷版胴の外周面に摺接するドクターとからなり、前記補助ドクターが印刷版胴の両側端部の前記ドクターより印刷版胴の回転方向の後方に位置するように印刷版胴の両側端部にそれぞれ取り付けられた構成のドクター装置である。
【０００７】
上記のドクター装置において、前記ドクターのドクターブレードの巾が揺動巾も含めて印刷版胴の外周面の巾よりも狭くされた構成である。
【０００８】
上記のドクター装置において、前記補助ドクターの補助ドクターホルダーがドクターのドクターホルダーに取り付けられている構成である。
【発明の効果】
【０００９】
本発明の補助ドクターでは、ファニッシャーロールにより印刷版胴の表面の両側端部に供給されたインキを補助ドクタープレードにより掻き取ることができるとともに、印刷版胴の側面に付着したインキを可撓性板状体により掻き取ることができるので、印刷版胴の側面に付着しインキが飛散するのを防止できる。
【００１０】
本発明のドクター装置では、印刷版胴の外周面に摺接するドクターの両側端部に２個の補助ドクターが取り付けられた構成となっているので、ファニッシャーロールにより印刷版胴の表面に供給されたインキが、印刷版胴の両側端部にて補助ドクターにより掻き取られるので、ドクターにて印刷版胴の表面全面に供給されたインキを掻き取る際に、ドクターと印刷版胴の両端縁との接触する部分においてインキが飛散するのを防止することができる。
【００１１】
請求項３に係る発明では、ドクターのドクターブレードが印刷版胴の両端縁と接触することがないので、ドクターブレードと印刷版胴の端縁との接触箇所でのインキの飛散を防止できるとともに、ドクターブレードの印刷版胴の端縁との接触による摩耗がなくなるので摩耗による微細金属粉の発生を防止することができる。
【００１２】
請求項４に係る発明では、補助ドクターの取り付け取り外し、ドクター位置に対する補助ドクター位置の調整、補助ドクターのドクターに連動させた揺動が容易となる。
【発明を実施するための最良の形態】
【００１３】
以下、図面を引用して本発明の実施の形態を説明する。
図１は本発明のドクター装置の第１実施形態を示す断面図、図２は本発明の第１実施形態のドクター装置側から見た中央部切欠側面図、図３は本発明のドクター装置の第２実施形態を示すドクター装置側から見た中央部切欠側面図であり、１は印刷版胴、２はファニッシャーロール、３は圧胴、４，4'はドクター、41，41' はドクターブレード、42はドクターホルダー、５は補助ドクター、51は補助ドクターブレード、52は補助ドクターホルダー、53は可撓性板状体、６はインキパン、７はインキ、８は印刷原反をそれぞれ表す。
【００１４】
本発明のドクター装置の第１実施形態は図１、図２に示すとおりである。第１実施形態の断面図は、図１に示すように、印刷版胴１とファニッシャーロール２と圧胴３と印刷原反８とドクター４及び補助ドクター５により構成されるドクター装置とを備え、インキパン６に収納されたインキ７がファニッシャーロール２により印刷版胴１の版胴表面に供給される印刷ユニットである。ドクター装置がドクター４と補助ドクター５により構成されており、補助ドクター５はドクター４よりも一定距離だけ印刷版胴１の回転方向の後方に位置するように取り付けられ、補助ドクター５には印刷版胴１の側面に摺接する可撓性板状体53が備えられている構成である。
【００１５】
第１実施形態のドクター装置側から見た中央部切欠側面図は、図２に示すように、ドクターホルダー42に印刷版胴１の版胴表面の全面に摺接する広巾のドクターブレード41が取り付けられたドクター４、及び印刷版胴１の版胴表面の側端部に摺接するように補助ドクターホルダー52に狭巾の補助ドクターブレード51が取り付けられるとともに印刷版胴１の側面に摺接する可撓性板状体53を備えた２個の補助ドクター５が印刷版胴１の両側端部に位置するように取り付けられている構成である。２個の補助ドクター５はドクター４よりも一定距離だけ印刷版胴１の回転方向の後方に位置するように取り付けられている。ドクターホルダー42に補助ドクターホルダー52が取り付けられており、ドクター４と連動して補助ドクター５が揺動するものである。
【００１６】
第１実施形態のドクター装置は、ドクター４は揺動しながら印刷版胴１の版胴表面の全面に摺接する状態で印刷版胴１の表面のインキ７を掻き取り、印刷版胴１の回転方向の後方に取り付けられている狭巾の補助ドクター５は、ファニッシャーロール２により版胴表面にインキが供給された際に版胴表面の両側端部に供給されたインキを掻き取るとともに、可撓性板状体53により印刷版胴１の両側面に付着したインキを掻き取ることができるので、ドクター４が印刷版胴１の版胴表面に摺接する箇所では印刷版胴１の両端部及び印刷版胴１の両側面にはインキが付着していない状態となっており、印刷版胴１の両端部とファニッシャーロール２との接触部からのインキの飛散及びドクター４と印刷版胴１の端縁部の接触部からのインキの飛散を防止することができる。
【００１７】
本発明のドクター装置の第２実施形態は、ドクター装置側からの中央部切欠側面図が図３に示されるとおりであって、第１実施形態と比較して、ドクター4'が印刷版胴１の版胴表面の両端縁から外方にはみ出さないように揺動しながら版胴表面の中央部に摺接する状態で印刷版胴１の表面の中央部のインキ７を掻き取る構成とされている点で異なる以外は、基本的な構成は第１実施形態と同じである。
【００１８】
第２実施形態では、ファニッシャーロール２により版胴版胴１の版胴表面に供給されたインキが、版胴版胴１の両側端部においては補助ドクター５により掻き取られるので、ドクター4'は揺動巾も含めて印刷版胴１の版胴表面の両端縁から外方にはみ出さないように版胴表面の中央部に摺接してインキ７を掻き取るようにされているものである。第２実施形態においても第１実施形態と同じ効果が得られる上に、ドクター4'はドクターブレード41’が印刷版胴１の両側端縁に接触しない構成であるため、ドクターブレードと印刷版胴の端縁との接触箇所でのインキの飛散を防止できるとともに、ドクターブレードの印刷版胴の端縁との接触による摩耗がなくなるので、ドクターブレードの摩耗による微細金属粉の発生を防止することができる。
【００１９】
第１、第２実施形態では、補助ドクターはドクターの位置よりも印刷版胴の回転方向の後方に０．５〜５．０ｃｍの間隔をおいて取り付けるのが好ましい。間隔が大きすぎると、ドクターブレードで掻き取られたインキが印刷版胴端に行きやすくなり、逆に間隔が小さすぎると、印刷原反との距離が近くなりインキ飛びの可能性が高くなるので好ましくない。また、補助ドクターの補助ドクターブレードの巾は３ｃｍ以上とするの好ましい。３ｃｍより狭い場合は、ドクターブレードで掻き取られたインキが印刷版胴端に行きやすくなり好ましくない。なお、補助ドクターのドクターブレードの巾は印刷される印刷原反の端部まで広げてもよい。
【００２０】
第１、第２実施形態では、補助ドクター５はドクター４，4'のドクターホルダー42に取り付けられてドクター４，4'と連動して揺動するようにされているが、補助ドクター５を別個に印刷機のフレームに取り付けて揺動させるようにすることもできるが、補助ドクター５はドクター４，4'のドクターホルダー42に取り付ける方が取り付け取り外しが容易なるので好ましい。補助ドクター５の可撓性板状体53は、ある程度の剛性を備えた弾力性及び可撓性を有し耐溶剤性の優れた板状体が好適に使用できる。板状体の材料としてはポリエチレン、ポリプロピレン、シリコーンゴム、ポリウレタン、テフロン等が使用でき、厚さとしては１〜３ｍｍ程度とするのが好ましい。
【図面の簡単な説明】
【００２１】
【図１】本発明のドクター装置の第１実施形態を示す断面図。
【図２】本発明の第１実施形態のドクター装置側から見た中央部切欠側面図。
【図３】本発明のドクター装置の第２実施形態を示すドクター装置側から見た中央部切欠側面図。
【符号の説明】
【００２２】
１  印刷版胴
２  ファニッシャーロール
３  圧胴
４，4'  ドクター
41，41'   ドクターブレード
42  ドクターホルダー
５  補助ドクター
51  補助ドクターブレード
52  補助ドクターホルダー
53  可撓性板状体
６  インキパン
７  インキ
８  印刷原反
【図１】
2006272710.tif 000003
【図２】
2006272710.tif 000004
【図３】
2006272710.tif 000005